(57)【要約】【課題】ユーザポートのリンクがとれていない状態をユーザに対して積極的に表示することによりユーザポートの稼動状態の確認に対する視認性を向上させたポート接続状態表示方法および通信装置および通信システムを提供する。【解決手段】通信装置（１００）の屋内装置（１１０）のユーザポート（１１）の近傍に緑色ＬＥＤ（１２）および赤色ＬＥＤ（１３）を配置し、この緑色ＬＥＤ（１２）および赤色ＬＥＤ（１３）の点灯または消灯によりこのユーザポート（１１）の稼動状態を報知するとともに、管理用ポート（１１２）経由で緑色ＬＥＤ（１２）および赤色ＬＥＤ（１３）の点灯または消灯状態を示す情報をネットワーク管理装置（６０）へ送信することでユーザポート（１１）の稼動状態を管理者に報知する。【選択図】　図１
2004032308.tif 000002
【特許請求の範囲】
【請求項１】
ＩＰ接続を行うユーザポートを有する通信装置のポート接続状態表示方法において、
前記ユーザポートの近傍に第１の表示手段および第２の表示手段を設け、
該ユーザポートのリンクがとれていない状態においては前記第１の表示手段を点灯し、
該ユーザポートのリンクがとれている状態においては前記第１の表示手段を消灯するとともに前記第２の表示手段を点灯する
ことを特徴とするポート接続状態表示方法。
【請求項２】
前記第１の表示手段は、
赤色発光ダイオードからなり、
前記第２の表示手段は、
緑色発光ダイオードからなる
ことを特徴とする請求項１記載のポート接続状態表示方法。
【請求項３】
前記通信装置は、
前記ユーザポートを複数有し、
該複数のユーザポートは、
前記通信装置に接続されたネットワーク管理装置からの操作により個別に通信可能状態および通信停止状態が設定され、
前記ユーザポートのリンクがとれていない状態は、
該ユーザポートの接続不良の場合および前記ネットワーク管理装置により通信停止状態に設定されている場合を含む
ことを特徴とする請求項１記載のポート接続状態表示方法。
【請求項４】
前記ユーザポートの接続が正常で、かつ前記ネットワーク管理装置により該ユーザポートが通信停止状態に設定されている場合は、該ユーザポートに対応して前記第１の表示手段および前記第２の表示手段の両者を消灯する
ことを特徴とする請求項３記載のポート接続状態表示方法。
【請求項５】
前記ネットワーク管理装置は、
前記通信装置から前記第１の表示手段および前記第２の表示手段の点灯状態を示す情報を取得し、
該取得した情報に基づき前記通信装置の各ユーザポートの状態をモニタする
ことを特徴とする請求項３記載のポート接続状態表示方法。
【請求項６】
ＩＰ接続を行うユーザポートを有する通信装置において、
前記ユーザポートの近傍に配設された第１の表示手段と、
前記ユーザポートの近傍に配設された第２の表示手段と、
前記ユーザポートが接続端末とリンクがとれている状態にあるか否かを検出する検出手段と、
前記検出手段により前記ユーザポートが接続端末とリンクがとれていない状態にあると検出された場合は前記第１の表示手段を点灯し、前記ユーザポートが前記接続端末とリンクがとれている状態にあると検出された場合は前記第１の表示手段を消灯するとともに前記第２の表示手段を点灯する表示制御手段と
を具備することを特徴とする通信装置。
【請求項７】
前記第１の表示手段は、
赤色発光ダイオードからなり、
前記第２の表示手段は、
緑色発光ダイオードからなる
ことを特徴とする請求項６記載の通信装置。
【請求項８】
前記ユーザポートは、
複数のユーザポートからなり、
前記複数のユーザポートは、
ネットワーク管理装置からの操作により個別に通信可能状態および通信停止状態が設定され、
前記検出手段は、
該ユーザポートの接続不良の場合若しくは前記ネットワーク管理装置により通信停止状態に設定されている場合に該ユーザポートが接続端末とリンクがとれていない状態にあると検出する
ことを特徴とする請求項６記載の通信装置。
【請求項９】
前記表示制御手段は、
前記ユーザポートの接続が正常で、かつ前記ネットワーク管理装置により該ユーザポートが通信停止状態に設定されている場合は、該ユーザポートに対応して前記第１の表示手段および前記第２の表示手段の両者を消灯するように制御する
ことを特徴とする請求項８記載の通信装置。
【請求項１０】
ＩＰ接続を行う複数のユーザポートを有する通信装置と該通信装置に接続されたネットワーク管理装置とを有する通信システムにおいて、
前記通信装置は、
前記ユーザポートの近傍に配設された第１の表示手段と、
前記ユーザポートの近傍に配設された第２の表示手段と、
前記ユーザポートが接続端末とリンクがとれている状態にあるか否かを検出する検出手段と、
前記検出手段により前記ユーザポートが接続端末とリンクがとれていない状態にあると検出された場合は前記第１の表示手段を点灯し、前記ユーザポートが前記接続端末とリンクがとれている状態にあると検出された場合は前記第１の表示手段を消灯するとともに前記第２の表示手段を点灯する表示制御手段と
を具備し、
前記ネットワーク管理装置は、
前記通信装置の複数のユーザポートを個別に通信可能状態および通信停止状態に設定する設定手段と、
前記通信装置から前記第１の表示手段および前記第２の表示手段の点灯状態を示す情報を取得する取得手段と、
前記取得手段で取得した情報に基づき該通信装置の各ユーザポートの状態をモニタするモニタ手段と
を具備することを特徴とする通信システム。
【発明の詳細な説明】
【０００１】
【発明の属する技術分野】
本発明は、ＩＰ通信プロトコルを使用して機器をＩＰ接続するユーザポートを有する通信装置のポート接続状態表示方法および通信装置および通信システムに関し、特に、ユーザポートのリンクがとれていない状態をユーザに対して積極的に表示することによりユーザポートの稼動状態の確認に対する視認性を向上させたポート接続状態表示方法および通信装置および通信システムに関する。
【０００２】
【従来の技術】
一般に、ＩＰ（Ｉｎｔｅｒｎｅｔ　　Ｐｒｏｔｏｃｏｌ）通信プロトコルを使用して通信可能な通信装置間を接続する場合は、ＩＰ接続可能なユーザポートが用いられており、この通信装置のユーザポートを介して通信装置間をケーブルで接続して通信路を形成して通信装置間の通信を行う。
【０００３】
図１１は、従来のユーザポートを有する通信装置の一例を示したものである。
【０００４】
図１１に示す従来の通信装置９０は、それぞれユーザ用のコネクタを用いた複数のユーザポート９２を有するユーザポート部９１が設けられており、この通信装置９０は、このユーザポート９２を介してそれぞれ独立したユーザ端末若しくユーザ端末に接続されたユーザ網と接続できる。
【０００５】
また、通信装置９０は、別の通信装置との通信接続手段を有し、ユーザポート９２で受け取った情報を別の通信装置へ伝送する機能を備える。
【０００６】
ここで、ユーザポート９２にユーザ端末をケーブルで接続する場合は、該接続が正常に行われているいるか否かを知るために、通信装置９０は、接続されたケーブルからの電圧信号を受け取り、接続されたユーザ端末とのリンクができている状態つまり正常に接続されている状態を知ることができる。
【０００７】
また、逆に、ユーザポート９２にケーブルが接続されていない状態においては、ケーブルからの電圧信号を受け取ることができないため、リンクがとれない状態つまり接続が正常にされていない状態であると認識することができる。
【０００８】
そして、従来の通信装置９０においては、ユーザポート部９１の各ユーザポート９２の近傍にそれぞれ緑色ＬＥＤ（発光ダイオード）９３を配設し、この緑色ＬＥＤ９３により、当該ユーザポート９２の接続状態をユーザに報知するように構成されている。
【０００９】
すなわち、当該ユーザポート９２にケーブルが正常に接続されていると検出された場合は、この緑色ＬＥＤ９３を点灯制御し、また、当該ユーザポート９２にケーブルが正常に接続されていないと検出された場合は、この緑色ＬＥＤ９３を消灯制御して、当該ユーザポート９２の接続状態をユーザに視認させる。
【００１０】
【発明が解決しようとする課題】
しかし、上記従来の通信装置９０においては、ユーザポート９２にケーブルが正常に接続されていないと検出された場合に、緑色ＬＥＤ９３が消灯制御されるだけであるので、例えば、ユーザポート９２にケーブルが接続されているが、ケーブルの断線やケーブルが接続されているネットワーク側の障害等によりリンクがとれない場合等には気が付きにくいという問題があった。
【００１１】
また、通信装置９０の複数のユーザポート９２をユーザが自由に使用してよい管理状態においては、緑色ＬＥＤ９３により、このユーザポート９２に正常にケーブルが接続されているか否かのある程度の判別を行うことができるが、例えば、この通信装置９０が有償で提供され、この通信装置９０の複数のユーザポート９２を管理者の意思で選択的に通信停止にするような管理状態においては、緑色ＬＥＤ９３が消灯してもその原因がユーザポート９２に対するケーブルの接続状態にあるのか、管理者の意思により通信停止状態に設定されているためにあるかを識別することはできなかった。
【００１２】
そこで、本発明は、ユーザポートのリンクがとれていない状態をユーザに対して積極的に表示することによりユーザポートの稼動状態の確認に対する視認性を向上させたポート接続状態表示方法および通信装置および通信システムを提供することを目的とする。
【００１３】
【課題を解決するための手段】
上記目的を達成するために、請求項１の発明は、ＩＰ接続を行うユーザポートを有する通信装置のポート接続状態表示方法において、前記ユーザポートの近傍に第１の表示手段および第２の表示手段を設け、該ユーザポートのリンクがとれていない状態においては前記第１の表示手段を点灯し、該ユーザポートのリンクがとれている状態においては前記第１の表示手段を消灯するとともに前記第２の表示手段を点灯することを特徴とする。
【００１４】
また、請求項２の発明は、請求項１の発明において、前記第１の表示手段は、赤色発光ダイオードからなり、前記第２の表示手段は、緑色発光ダイオードからなることを特徴とする。
【００１５】
また、請求項３の発明は、請求項１の発明において、前記通信装置は、前記ユーザポートを複数有し、該複数のユーザポートは、前記通信装置に接続されたネットワーク管理装置からの操作により個別に通信可能状態および通信停止状態が設定され、前記ユーザポートのリンクがとれていない状態は、該ユーザポートの接続不良の場合および前記ネットワーク管理装置により通信停止状態に設定されている場合を含むことを特徴とする。
【００１６】
また、請求項４の発明は、請求項３の発明において、前記ユーザポートの接続が正常で、かつ前記ネットワーク管理装置により該ユーザポートが通信停止状態に設定されている場合は、該ユーザポートに対応して前記第１の表示手段および前記第２の表示手段の両者を消灯することを特徴とする。
【００１７】
また、請求項５の発明は、請求項３の発明において、前記ネットワーク管理装置は、前記通信装置から前記第１の表示手段および前記第２の表示手段の点灯状態を示す情報を取得し、該取得した情報に基づき前記通信装置の各ユーザポートの状態をモニタすることを特徴とする。
【００１８】
また、請求項６の発明は、ＩＰ接続を行うユーザポートを有する通信装置において、前記ユーザポートの近傍に配設された第１の表示手段と、前記ユーザポートの近傍に配設された第２の表示手段と、前記ユーザポートが接続端末とリンクがとれている状態にあるか否かを検出する検出手段と、前記検出手段により前記ユーザポートが接続端末とリンクがとれていない状態にあると検出された場合は前記第１の表示手段を点灯し、前記ユーザポートが前記接続端末とリンクがとれている状態にあると検出された場合は前記第１の表示手段を消灯するとともに前記第２の表示手段を点灯する表示制御手段とを具備することを特徴とする。
【００１９】
また、請求項７の発明は、請求項６の発明において、前記第１の表示手段は、赤色発光ダイオードからなり、前記第２の表示手段は、緑色発光ダイオードからなることを特徴とする。
【００２０】
また、請求項８の発明は、請求項６の発明において、前記ユーザポートは、複数のユーザポートからなり、前記複数のユーザポートは、ネットワーク管理装置からの操作により個別に通信可能状態および通信停止状態が設定され、前記検出手段は、該ユーザポートの接続不良の場合若しくは前記ネットワーク管理装置により通信停止状態に設定されている場合に該ユーザポートが接続端末とリンクがとれていない状態にあると検出することを特徴とする。
【００２１】
また、請求項９の発明は、請求項８の発明において、前記表示制御手段は、前記ユーザポートの接続が正常で、かつ前記ネットワーク管理装置により該ユーザポートが通信停止状態に設定されている場合は、該ユーザポートに対応して前記第１の表示手段および前記第２の表示手段の両者を消灯するように制御することを特徴とする。
【００２２】
また、請求項１０の発明は、ＩＰ接続を行う複数のユーザポートを有する通信装置と該通信装置に接続されたネットワーク管理装置とを有する通信システムにおいて、前記通信装置は、前記ユーザポートの近傍に配設された第１の表示手段と、前記ユーザポートの近傍に配設された第２の表示手段と、前記ユーザポートが接続端末とリンクがとれている状態にあるか否かを検出する検出手段と、前記検出手段により前記ユーザポートが接続端末とリンクがとれていない状態にあると検出された場合は前記第１の表示手段を点灯し、前記ユーザポートが前記接続端末とリンクがとれている状態にあると検出された場合は前記第１の表示手段を消灯するとともに前記第２の表示手段を点灯する表示制御手段とを具備し、前記ネットワーク管理装置は、前記通信装置の複数のユーザポートを個別に通信可能状態および通信停止状態に設定する設定手段と、前記通信装置から前記第１の表示手段および前記第２の表示手段の点灯状態を示す情報を取得する取得手段と、前記取得手段で取得した情報に基づき該通信装置の各ユーザポートの状態をモニタするモニタ手段とを具備することを特徴とする。
【００２３】
【発明の実施の形態】
以下、本発明に係るポート接続状態表示方法および通信装置および通信システムの実施の形態を添付図面を参照して詳細に説明する。
【００２４】
図１は、本発明に係る通信システムの一実施の形態を示すシステム構成図である。
【００２５】
図１において、この通信システムは、通信装置１００と通信装置２００との間を無線伝送路で接続して構成したネットワークシステムを示すもので、通信装置１００は、屋内に配置されて主に通信信号の変調、復調等の処理を行う屋内装置１１０と、この屋内装置１１０に同軸ケーブル１３０を経由して接続され、屋外に配置されて主に無線信号の処理を行う屋外装置１２０から構成される。
【００２６】
同様に、通信装置２００は、屋内に配置されて主に通信信号の変調、復調等の処理を行う屋内装置２１０と、この屋内装置２１０に同軸ケーブル２３０を経由して接続され、屋外に配置されて主に無線信号の処理を行う屋外装置２２０から構成される。
【００２７】
屋内装置１１０には、それぞれユーザ用のコネクタを用いた複数のユーザポート１１を有するユーザポート部１１１および管理ポート１１２が設けれており、ユーザポート１１には、ユーザ用のコネクタ３１を有するケーブル３０、ユーザ網３２を経由してユーザ端末４０が接続され、また、管理ポート１１２には、ケーブル５０、管理網５１を経由してネットワーク管理装置（ＮＭＳ）６０が接続される。
【００２８】
また、屋内装置２１０にも、それぞれユーザ用のコネクタを用いた複数のユーザポート２１を有するユーザポート部２１１が設けれており、ユーザポート２１には、ケーブル７０を経由してユーザ端末８０が接続される。
【００２９】
上記構成において、ユーザ端末４０およびユーザ端末８０は、通信装置１００、２００を経由してＩＰ通信プロトコルによる相互通信が可能となる。
【００３０】
また、ネットワーク管理装置６０は、管理網５１を介して通信装置１００を管理している。
【００３１】
すなわち、ネットワーク管理装置６０は、ユーザポート１１を通信路としてサービスを提供するために、屋内装置１１０が正常に通信が行えているかを遠隔監視し、正常に通信が行えない場合には、管理者に対して異常を通知する。
【００３２】
ここで、異常が通知された場合、管理者は原因の切り分けを行い、この原因の切り分けにより、例えば、ケーブル３０の断線による異常の場合は、ケーブル３０の交換を行う等の修理作業を行う。
【００３３】
そして、このネットワーク管理装置６０における屋内装置１１０の異常表示は、管理者が見つけやすい表示であることが要求される。
【００３４】
また、屋内装置１１０のユーザポート１１を通信路として使用するための契約を交わしてしないユーザが勝手に通信を行えないように、屋内装置１１０には、各ユーザポート１１を通信起動状態にする通信起動機能と、通信停止状態にする通信停止機能とが備えられている。
【００３５】
次に、図２のブロック図を基に、通信装置１００およびネットワーク管理装置６０の制御構成について説明する。
【００３６】
通信装置１００の制御構成は、通信装置１００全体を制御する制御部８０８を中心として、メモリ８０７と、屋外無線装置１２０に接続された無線通信制御部８０６と、各ユーザポート１１および管理用ポート１１２の接続あるいは切り離しを行うポート接続制御部８０４と、各ポートの接続状況を検出して制御部８０８に通知するポート接続状況検出部８０５と、各ポートの近傍に配置されたＬＥＤ表示部の点灯・消灯制御を行うＬＥＤ表示制御部８０３と、ユーザポートおよび管理用ポートに接続されたコネクタ経由でネットワークあるいはユーザ端末に接続して通信制御を行う外部通信インタフェース８０９により構成される。
【００３７】
一方、ネットワーク管理装置６０においては、管理装置全体を制御する制御部８１６と、メモリ８１７と、キーボードやマウス等の入力装置８１９に接続された入力インタフェース８１４と、ネットワーク管理装置６０をＬＡＮケーブルを接続するポートを制御する外部通信インタフェース８１０と、通信装置をネットワーク経由にて管理する為の通信装置設定情報作成部８１１、通信装置稼動情報解析部８１２、通信装置モニタ部８１３と、表示装置７１に接続された表示制御部８１７により構成される。
【００３８】
図３に、図１に示した本発明の通信装置１００、２００のうちの通信装置１００を例として、屋内装置１１０のユーザポート部１１１に複数配置されているユーザポート１１の１つを拡大して示す。
【００３９】
屋内装置１１０のユーザポート部１１１におけるユーザポート１１には、緑色ＬＥＤ１２と、赤色ＬＥＤ１３とが配設されており、この緑色ＬＥＤ１２および赤色ＬＥＤ１３は、ユーザポート１１に接続されたネットワークケーブルの断線や接続ネットワーク側の異常等が原因によるユーザポート１１の通信異常の発生を点灯あるいは消灯の組み合せによって、管理者に対し通知する。
【００４０】
ここで、各ユーザポート１１の通信異常は、ユーザポート１１に接続されたネットークケーブルを介して受け取る電圧信号をもとに検出される。
【００４１】
管理用ポート１１２は、屋内装置１１０における任意のユーザポート１１の通信起動機能と稼動停止機能をネットワーク管理装置６０から遠隔操作するために設けられている。
【００４２】
例えば、屋内装置１１０の各ユーザポート１１により提供されている通信路のうち、ユーザ契約が行われていない場合には、ユーザによるこのユーザポートの不正使用を防止するために、管理者がネットワーク管理装置６０から該当するユーザポート１１を稼動停止状態にする運用が可能となる。
【００４３】
次に、屋内装置１１０がユーザポート１１の通信状態を報知する時の緑色ＬＥＤ１２および赤色ＬＥＤ１３の点灯パターンについて説明する。
【００４４】
図４は、屋内装置１１０において、ユーザポート１１の接続状態と管理用ポート１１２経由での通信制御機能によるユーザポート１１の起動または停止状態の組み合せに応じた緑色ＬＥＤ１２および赤色ＬＥＤ１３の点灯または消灯のパターンを示した図である。
【００４５】
図４（ａ）は、ユーザポート１１が屋内装置１１０の通信起動機能により通信起動状態に設定され、かつ、ユーザポート１１の接続状態は正常である場合の点灯パターンであり、この場合、緑色ＬＥＤ１２は点灯し、赤色ＬＥＤ１３は消灯する。
【００４６】
また、図４（ｂ）は、ユーザポート１１が屋内装置１１０の通信起動機能により通信起動状態に設定されているものの、ユーザポート１１の接続状態はケーブルの断線または接続ネットワーク側の障害により通信異常となった時の点灯パターンであり、この場合は、緑色ＬＥＤ１２は消灯し、赤色ＬＥＤ１３は点灯する。
【００４７】
また、図４（ｃ）は、ユーザポート１１の通信状況は正常または異常の何れの状態によらず、ユーザポート１１が屋内装置１１０の稼動停止機能により稼動停止状態に設定された時の点灯パターンであり、この場合は、緑色ＬＥＤ１２および赤色ＬＥＤ１３は共に消灯する。
【００４８】
従って、管理者は屋内装置１１０におけるユーザポート１１毎のＬＥＤの点灯または消灯を確認することでユーザポート１１の停止、起動状態および接続状態を即時に認識することが可能となる。
【００４９】
さらに、緑色ＬＥＤ１２および赤色ＬＥＤ１３は、図４の（ａ）から（ｃ）迄の各パターンのいずれかを表示する際、同時に管理用ポート１１２経由で接続されているネットワーク管理装置６０に対して点灯または消灯の状態を稼動情報として送信する。
【００５０】
ここで、上記屋内装置１１０がネットワーク管理装置６０に通知する稼動情報の項目には、屋内装置１１０を特定するためのＭＡＣアドレスや、屋内装置１１０の複数存在するユーザポート１１を特定するためのポート番号、ポート名等、そのポート毎の赤色ＬＥＤ１３および緑色ＬＥＤ１２の点灯または消灯の状態等ネットワーク管理装置６０が遠隔監視するために必要な項目が設定されている。
【００５１】
そして、ネットワーク管理装置６０は、屋内装置１１０から受信した稼動情報をもとに、屋内装置１１０の複数のユーザポートの稼動状態を、ネットワーク管理装置６０の表示装置７１にウィンドウ画面として表示する。
【００５２】
次に、管理者がネットワーク管理装置６０を使用して通信装置を遠隔監視する際の制御手順について、図２のブロック図および図５、図６、図７、図８のフローチャートを参照して説明する。
【００５３】
まず、通信装置がポートの通信異常を検出してネットワーク管理装置６０に通知する迄の制御手順について説明する。
【００５４】
図５は屋内装置１１０が特定のポート発生した通信異常を検出し、ネットワーク管理装置６０へ通知する際の制御手順を示したフローチャートである。
【００５５】
屋内装置１１０の特定のユーザポート１１に通信異常が発生すると、ポート接続状況検出部８０５は通信異常が発生したユーザポートを特定し、ポートの識別情報を制御部８０８に通知する（ステップＳ５１）。
【００５６】
制御部８０８は、受け取ったポート識別情報をもとに、メモリ８０７上にて管理しているポートの稼動データであるポートの通信状況とＬＥＤの表示パターンの情報を更新する（ステップＳ５２）。
【００５７】
制御部８０８は、通信異常の発生したユーザポートに対応するＬＥＤ表示部１１の表示パターンを変更する信号をＬＥＤ表示制御部８０３に対して出力する（ステップＳ５３）。
【００５８】
制御部８０８はメモリ８０７上の全ポートに関する稼動データを参照して通信用のパケットデータを作成し、外部通信インタフェース８０９、管理用ポート１１２を経由してネットワーク管理装置６０に送信する（ステップＳ５４）。
【００５９】
次に、図６はネットワーク管理装置６０が管理網５１を介して通信装置の稼動状況をネットワーク経由で監視する処理手順を示したフローチャートである。
【００６０】
制御部８１６は、通信装置からのパケットデータを外部インタフェース８１０を介して受信する（ステップＳ６１）。
【００６１】
制御部８１６は、受信したパケットデータのデータ種別を判定する（ステップＳ６２）。
【００６２】
受信したデータが通信装置からの稼動情報である場合（ステップＳ６２でＹＥＳ）、パケットデータから通信装置の稼動情報を抽出する（ステップＳ６３）。
【００６３】
また、受信データが通信装置からの稼動情報以外の場合（ステップＳ６２でＮＯ）、再び通信装置からのデータ受信待ちとなる。
【００６４】
ステップＳ６３で抽出した稼動データの内容を解析し、送信元の通信装置を特定する（ステップＳ６４）。
【００６５】
ステップＳ６４で特定した通信装置のポートに関する稼動情報として、ポートの起動・停止状態区分、ＬＥＤ表示部１およびＬＥＤ表示部２の点灯・消灯情報を取得する（ステップＳ６５）。
【００６６】
通信装置モニタ部８１３は、ステップＳ６５で取得したユーザポートの稼動情報をもとに管理用ウィンドウ画面の表示用データを作成し、表示制御部８１７に対し画面表示要求を行う（ステップＳ６６）。
【００６７】
ステップＳ６６で作成したデータを基に、通信装置１１０の最新の稼動状況を管理ウィンドウ画面を表示する（ステップＳ６７）。
【００６８】
監視プログラムが実行中の場合（ステップＳ６８でＮＯ）、はステップＳ６１の通信装置からのデータ受信待ちに戻る。
【００６９】
上記図６のフローチャートにおいては、ネットワーク管理装置６０は通信装置１００からの異常通知を受信する方式を示したものであるが、ネットワーク管理装置側から通信装置に対してて稼動情報を問い合せを行い応答データから稼動情報を収集する方式にしてもよい。
【００７０】
さらに、図７および図８は、ネットワーク管理装置６０からネットワーク接続された通信装置１００のユーザポートの稼動開始または停止を行う再の処理手順を示したフローチャートである。
【００７１】
図７はネットワーク管理装置側での制御手順を、一方の図８は通信装置側の制御手順を示したものである。
【００７２】
まず、図７を用いてネットワーク管理装置６０側における通信装置１００のユーザポート１１に関する遠隔制御方法について説明する。
【００７３】
制御部８１６は、管理者が表示装置７１の画面上で遠隔設定を実施したユーザポートの特定情報として、通信装置のネットワーク上における識別情報と、ユーザポート１１の識別情報及び設定内容を、入力装置８１６および入力インタフェース８１４を介して受信した入力データを基に取得する（ステップＳ７１）。
【００７４】
制御部８１６は、ステップＳ７１で取得した設定情報を通信装置設定情報作成部８１１に出力すると共に、通信装置に送信するパケットデータの作成要求を行う（ステップＳ７２）。
【００７５】
通信装置設定情報作成部８１１は、ステップＳ７２により受信した通信装置の遠隔設定のため制御データを含むパケットデータを作成する（ステップＳ７３）。
【００７６】
制御部８１６は、ステップＳ７３で作成したパケットデータを外部通信インタフェース８１０を介しネットワーク経由で通信装置に送信する（ステップＳ７４）。
【００７７】
図７の制御処理に続いて、図８に示す通信装置側で処理されるユーザポートの設定制御手順について説明する。
【００７８】
制御部８０８は、ネットワーク管理装置６０からのポート接続制御の為のパケットデータを管理用ポート１１２及び外部通信インタフェース８０９を介して受信する（ステップＳ８１）。
【００７９】
制御部８０８は、受信したパケットデータを解析し、設定変更の対象となるユーザポート識別情報と設定情報をポート接続制御部８０４に対して出力する（ステップＳ８２）。
【００８０】
ポート接続制御部８０４は、受け取った設定情報を基に該当するユーザポートの動開始または停止の切換えを実施後、設定結果を制御部８０８に通知する（ステップＳ８３）。
【００８１】
制御部８０８は、メモリ８０７上で管理された該当するユーザポートの稼動データをポート接続制御部８０４からの設定結果を基に更新する（ステップＳ８４）。
【００８２】
制御部８０８は、設定変更が発生したユーザポート１１に対応するＬＥＤ表示部の点灯パターンをステップＳ８３で実施したユーザポートの稼動状況に合わせて変更する為の要求をＬＥＤ表示制御部８０３に出力する（ステップＳ８５）。
【００８３】
次に、これまで図５から図８迄のフローチャートに示した通信装置１００のユーザポート１１を管理者がネットワーク管理装置６０により監視する運用の例をあげて説明する。
【００８４】
図９は、ネットワーク管理装置６０における管理用の画面の一例を示したものである。
【００８５】
ネットワーク管理装置６０の表示装置７１には、管理ウィンドウ７２が表示され、管理ウィンドウ７２内には屋内装置１１０と同じ外観を示す装置外観図５３が表示される。
【００８６】
さらに、この装置外観図５３には、屋内装置１１０のユーザポート部１１１と同じ外観のユーザポート７５およびＬＥＤ部７４が表示されている。
【００８７】
また、ＬＥＤ部７４には、屋内装置１１０と同様のレイアウトで緑色ＬＥＤ７４−１および赤色ＬＥＤ７４−２が各ユーザポート７５−１毎に表示され、この緑色ＬＥＤ７４−１および赤色ＬＥＤ７４−２の表示は、屋内装置１１０の実際のＬＥＤ表示パターンの変化に応じて連動表示される。
【００８８】
このため、管理者はネットワーク上で稼動している屋内装置１１０の接続状況およびサービス提供状況をネットワーク管理装置６０の表示装置７１の各ユーザポート７５−１の緑色ＬＥＤ７４−１および赤色ＬＥＤ７４−２の表示から遠隔監視することが可能となる。
【００８９】
例えば、屋内装置１１０のあるユーザポート１１に接続されたケーブルの断線やユーザ網３２側の障害が原因となり通信異常が発生した場合、異常を検出した表示装置７１の外観部７３の各ユーザポート７５−１の緑色ＬＥＤ７４−１および赤色ＬＥＤ７４−２の表示は、図４（ａ）乃至図４（ｂ）の表示パターンに対応して変化する。
【００９０】
これにより管理者はネットワーク管理装置６０の表示装置７１に表示されているＬＥＤ部７４を確認し、屋内装置１１０に関する故障解析および修復作業を迅速に行うことができる。
【００９１】
図１０の画面イメージは、通信装置１００がネットワーク上で３台稼動している時の稼動状況をネットワーク管理装置６０により遠隔監視する時の表示装置７１の画面イメージである。
【００９２】
ここで、通信装置一覧ウィンドウ６４は、ネットワーク管理装置６０に接続されるネットワーク上で稼動中の複数の通信装置１００を、円形や四角形等の単純な形のアイコンとして一覧表示して監視するためのウィンドウ画面である。
【００９３】
図１０の通信装置一覧ウィンドウ６４の中には、一台目の通信装置Ａのアイコン６１、ニ台目の通信装置Ｂのアイコン６２、三台目の通信装置Ｃのアイコン６３がレイアウト表示されている。
【００９４】
ここで、例えば図１０に示すように通信装置Ａに異常が発生した場合、対応するアイコン６１を赤色に換えて表示することで、通信装置Ａの異常を報知する。
【００９５】
さらに、各通信装置１００に対応するアイコン６１から６３は、マウスでクリックすると前述の図９に示す屋内装置１１０の各ユーザポート１１毎の稼動状態を示す管理ウィンドウ７２が画面に表示される。
【００９６】
この時、通信装置Ａの管理ウィンドウ７２において、ＬＥＤ部７４を見た時に、故障のあるポートのＬＥＤ表示パターンは、図４の（ｂ）の表示となる。
【００９７】
従って、複数台の屋内装置１１０をネットワーク経由で遠隔監視する場合、どの屋内装置１１０のどのユーザポートに異常が発生しているかをネットワーク管理装置６０の表示装置７１の管理ウィンドウ７２を上記の画面遷移により絞り込んで確認することが可能となる。
【００９８】
また、屋内装置１１０のユーザポート１１毎により提供される各通信路を有償で提供している場合、管理者は屋内装置１１０に対し通信起動機能によりユーザポート１１を通信可能状態にしてサービスを開始したり、稼動停止機能によりユーザポート１１を通信不可能な状態にして通信接続の制御を行うことができる。
【００９９】
この時、管理ウィンドウ７２に表示されている装置図５３のＬＥＤ部７４において、稼動停止の状態に設定されているユーザポート７５−１の赤色ＬＥＤ７４−２および緑色ＬＥＤ７４−１は、図４（ｃ）の表示へと変化する。
【０１００】
これにより、管理者は屋内装置１１０の各ユーザポート１１の通信状態およびサービスの提供状況を管理ウィンドウ７２により遠隔地から確認することが可能となる。
【０１０１】
なお、上記実施の形態においては、赤色ＬＥＤと緑色ＬＥＤを用いたが、これらＬＥＤの色は任意に変更可能である。
【０１０２】
【発明の効果】
以上説明したように本発明によれば、通信装置のユーザポートの接続状態によって、ＬＥＤの点灯または消灯表示で明示的に表示し、更に、ＬＥＤの表示パターンを管理用ポート経由でネットワーク管理装置に対し伝送するように構成したので、管理者は、ネットワーク管理装置の表示装置上で、管理ネットワーク上で稼動してる複数の通信装置の通信状況を遠隔から一括して監視することが可能となり、異常の発生した通信装置とそのユーザポートを容易かつ迅速に特定し、修復作業に着手することが可能となる。
【０１０３】
さらに、異常が発生した通信装置のユーザポートを直視した場合にも、例えば、緑色ＬＥＤは消灯するが、赤色ＬＥＤが積極的に点灯するため、ＬＥＤ表示の視認性が向上し異常箇所の発見が容易となる。
【０１０４】
また、管理ウィンドウ画面の表示は、管理者がネットワーク接続された通信ポートの異常箇所を特定するため以外にも、各通信装置における各ユーザポート毎のサービス提供状況を瞬時かつ視覚的に認識することが可能となる。
【０１０５】
さらに、管理者は通信装置が備えるユーザポートの起動および停止機能により、ユーザポート単位での通信サービスの開始または停止を管理者の意思により運用することが可能となる。
【図面の簡単な説明】
【図１】本発明に係る通信装置の一実施の形態を示すネットワーク構成図。
【図２】通信装置およびネットワーク管理装置の制御構成を示すブロック図。
【図３】通信装置のユーザポートおよびＬＥＤ表示部を示す外観図。
【図４】通信装置のユーザポートの緑色ＬＥＤおよび赤色ＬＥＤの点灯パターンを示したＬＥＤ表示部の拡大図。
【図５】通信装置における通信ポートの異常検出制御のフローチャート。
【図６】ネットワーク管理装置における通信装置遠隔監視制御のフローチャート。
【図７】ネットワーク管理装置からの通信装置ポート設定制御においてネットワーク管理装置側での処理を示すフローチャート。
【図８】ネットワーク管理装置からの通信装置ポート設定制御において図７の処理フローを受けて通信装置側での処理を示すフローチャート。
【図９】ネットワーク管理装置の表示装置上で通信装置の管理ウィンドウを表示した時の画面イメージ。
【図１０】複数台の通信装置が接続されネットワーク管理装置にネットワーク経由で監視されている時に、表示装置上に表示される管理ウィンドウの画面イメージ。
【図１１】従来の通信装置におけるユーザポートおよびＬＥＤ表示部の外観図。
【符号の説明】
１００、２００　　通信装置
１１０、２１０　　屋内装置
１２０、２２０　　屋外無線装置
３２、　　ユーザ網
４０、８０　　ユーザ端末
１１１、２１１　　ユーザポート部
３１　　コネクタ
６０　　ネットワーク管理装置
５１　　管理網
１１２、２１２　　管理用ポート
１１、２１　　ユーザポート
１２　　緑色ＬＥＤ
１３　　赤色ＬＥＤ
７１　　表示装置
７２　　管理ウィンドウ
７３　　外観図
７４　　ＬＥＤ
７４−１　　緑色ＬＥＤ
７４−２　　赤色ＬＥＤ
７５　　ユーザポート部
７５−１　　ユーザポート
９０　　通信装置
９１　　ユーザポート部
９２　　ユーザポート
９３　　緑色ＬＥＤ
３０、５０、７０　　ケーブル
６４　　通信装置一覧ウィンドウ
６１、６２、６３　　アイコン
１３０、２３０　　同軸ケーブル
８０３　ＬＥＤ表示制御部
８０４　ポート接続制御部
８０５　ポート接続状況検出部
８０６　無線通信制御部
８０７　メモリ
８０８　制御部
８０９、８１０　外部通信インタフェース
８１１　通信装置設定情報作成部
８１２　通信装置稼動情報解析部
８１３　通信装置モニタ部
８１４　入力インタフェース
８１５　メモリ
８１６　制御部
８１７　表示制御部
８１９　入力装置
【図１】
2004032308.tif 000003
【図２】
2004032308.tif 000004
【図３】
2004032308.tif 000005
【図４】
2004032308.tif 000006
【図５】
2004032308.tif 000007
【図６】
2004032308.tif 000008
【図７】
2004032308.tif 000009
【図８】
2004032308.tif 000010
【図９】
2004032308.tif 000011
【図１０】
2004032308.tif 000012
【図１１】
2004032308.tif 000013